(57)【特許請求の範囲】
【請求項１】
個々のスケジュールされたユーザ端末のためのアップリンクハイブリッド自動再送要求肯定応答／否定応答リソースを決定するための１又はそれ以上の値を、前記アップリンクハイブリッド自動再送要求肯定応答／否定応答リソースが、非適応的にスケジュールされていない全てのユーザ端末に関して同じになるように計算するように構成された計算器を備える、
ことを特徴とする装置。
【請求項２】
前記アップリンクハイブリッド自動再送要求肯定応答／否定応答リソースが、物理ハイブリッド自動再送要求インジケータチャネルリソースである、
ことを特徴とする請求項１に記載の装置。
【請求項３】
前記計算器が、前記物理ハイブリッド自動再送要求インジケータチャネルリソースを決定するための１又はそれ以上の値を、前記物理ハイブリッド自動再送要求インジケータチャネルリソースが前記同じ物理ハイブリッド自動再送要求インジケータチャネルグループの全てのユーザ端末に関して同じになるように計算するようにさらに構成される、
ことを特徴とする請求項２に記載の装置。
【請求項４】
前記アップリンクハイブリッド自動再送要求肯定応答／否定応答リソースを決定するための計算された１又はそれ以上の値が、アップリンク復調基準シンボルの巡回シフトを含む、
ことを特徴とする請求項１に記載の装置。
【請求項５】
前記アップリンク復調基準シンボルの巡回シフトが、物理ハイブリッド自動再送要求インジケータチャネルの変調に使用される拡散係数のサイズ、構成される物理ハイブリッド自動再送要求インジケータチャネルグループの数、対応する物理ハイブリッド自動再送要求インジケータチャネル送信の最も低い物理リソースブロック、及び時分割複信物理ハイブリッド自動再送要求インジケータチャネルグループシフトのうちの１又はそれ以上を使用することによって計算される、
ことを特徴とする請求項４に記載の装置。
【請求項６】
前記アップリンクハイブリッド自動再送要求肯定応答／否定応答リソースを決定するための前記計算された１又はそれ以上の値を各ユーザ端末へ送信するように構成された送信機をさらに備える、
ことを特徴とする請求項１に記載の装置。
【請求項７】
前記送信器が、非適応的にスケジュールされていない前記ユーザ端末へ送信される肯定応答シグナリングで常に肯定応答を送信するようにさらに構成される、
ことを特徴とする請求項１に記載の装置。
【請求項８】
前記アップリンクハイブリッド自動再送要求肯定応答／否定応答リソースが、個々のスケジュールされたユーザ端末のためのアップリンクハイブリッド自動再送要求肯定応答／否定応答リソースを決定するための１又はそれ以上の値を、非適応的にスケジュールされていない全てのユーザ端末に関して同じになるように計算するステップを含む、
ことを特徴とする方法。
【請求項９】
前記アップリンクハイブリッド自動再送要求肯定応答／否定応答リソースが、物理ハイブリッド自動再送要求インジケータチャネルリソースである、
ことを特徴とする請求項８に記載の方法。
【請求項１０】
前記物理ハイブリッド自動再送要求インジケータチャネルリソースを決定するための１又はそれ以上の値を、前記物理ハイブリッド自動再送要求インジケータチャネルリソースが、前記同じ物理ハイブリッド自動再送要求インジケータチャネルグループの全てのユーザ端末に関して同じになるように計算するステップをさらに含む、
ことを特徴とする請求項９に記載の方法。
【請求項１１】
前記アップリンクハイブリッド自動再送要求肯定応答／否定応答リソースを決定するための計算された１又はそれ以上の値が、アップリンク復調基準シンボルの巡回シフトを含む、
ことを特徴とする請求項８に記載の方法。
【請求項１２】
前記アップリンク復調基準シンボルの巡回シフトを、物理ハイブリッド自動再送要求インジケータチャネルの変調に使用される拡散係数のサイズ、構成される物理ハイブリッド自動再送要求インジケータチャネルグループの数、対応する物理ハイブリッド自動再送要求インジケータチャネル送信の最も低い物理リソースブロック、及び時分割複信物理ハイブリッド自動再送要求インジケータチャネルグループシフトのうちの１又はそれ以上を使用することによって計算するステップをさらに含む、
ことを特徴とする請求項１１に記載の方法。
【請求項１３】
前記アップリンクハイブリッド自動再送要求肯定応答／否定応答リソースを決定するための前記計算された１又はそれ以上の値を各ユーザ端末へ送信するステップをさらに含む、
ことを特徴とする請求項８に記載の方法。
【請求項１４】
非適応的にスケジュールされていない前記ユーザ端末へ送信される肯定応答シグナリングで常に肯定応答を送信するステップをさらに含む、
ことを特徴とする請求項８に記載の方法。
【請求項１５】
メモリに動作可能に結合されたコンピュータにより実行可能なプログラム命令を記憶したコンピュータ可読記録媒体であって、前記プログラム命令が、前記コンピュータにより実行された場合、スケジュールされた各々のアップリンクハイブリッド自動再送要求肯定応答／否定応答リソースを決定するための１又はそれ以上の値を、前記アップリンクハイブリッド自動再送要求肯定応答／否定応答リソースが、非適応的にスケジュールされていない全てのユーザ端末に関して同じになるように計算する機能を実施する、
ことを特徴とするコンピュータ可読記録媒体。
【請求項１６】
前記アップリンクハイブリッド自動再送要求肯定応答／否定応答リソースが、物理ハイブリッド自動再送要求インジケータチャネルリソースであり、前記製造の物品が、前記物理ハイブリッド自動再送要求インジケータチャネルリソースを決定するための１又はそれ以上の値を、前記物理ハイブリッド自動再送要求インジケータチャネルリソースが、前記同じ物理ハイブリッド自動再送要求インジケータチャネルグループの全ての前記ユーザ端末に関して同じになるように計算する機能をさらに実施する、
ことを特徴とする請求項１５に記載のコンピュータ可読記録媒体。
【請求項１７】
前記アップリンクハイブリッド自動再送要求肯定応答／否定応答リソースを決定するための計算された１又はそれ以上の値が、アップリンク復調基準シンボルの巡回シフトを含む、
ことを特徴とする請求項１５に記載のコンピュータ可読記録媒体。
【請求項１８】
前記アップリンク復調基準シンボルの巡回シフトを、物理ハイブリッド自動再送要求インジケータチャネルの変調に使用される拡散係数のサイズ、構成される物理ハイブリッド自動再送要求インジケータチャネルグループの数、対応する物理ハイブリッド自動再送要求インジケータチャネル送信の最も低い物理リソースブロック、及びＩPHICHのうちの１又はそれ以上を使用することによって計算する機能をさらに実施する、
ことを特徴とする請求項１７に記載のコンピュータ可読記録媒体。
【請求項１９】
前記アップリンクハイブリッド自動再送要求肯定応答／否定応答リソースを決定するための計算された１又はそれ以上の値を各ユーザ端末へ送信する機能をさらに実施する、
ことを特徴とする請求項１５に記載のコンピュータ可読記録媒体。
【請求項２０】
非適応的にスケジュールされていない前記ユーザ端末へ送信される肯定応答シグナリングで常に肯定応答を送信する機能をさらに実施する、
ことを特徴とする請求項１５に記載のコンピュータ可読記録媒体。
【請求項２１】
前記コンピュータ可読記録媒体が、コンピュータ可読媒体、プログラム記憶媒体、記録媒体、コンピュータ可読メモリ、コンピュータ可読ソフトウェア分散パッケージ、コンピュータ可読信号、コンピュータ可読通信信号、及びコンピュータ可読圧縮ソフトウェアパッケージのうちの少なくとも１つを含む、
ことを特徴とする請求項１５に記載のコンピュータ可読記録媒体。
【発明の詳細な説明】
【技術分野】
【０００１】
本発明は、移動通信ネットワークの制御チャネル設計に関する。より詳細には、本発明は、方法、装置、及びコンピュータ可読媒体を含む製造の物品に関する。
【背景技術】
【０００２】
多くの場合、移動通信ネットワークにおける受信機のアップリンクハイブリッド自動再送要求（ＨＡＲＱ）肯定応答／否定応答（ＡＣＫ／ＮＡＣＫ）リソースを決定する手順は、リソースの重複を招く。これがさらに、ダウンリンク制御チャネル容量の浪費を招く。従って、移動通信ネットワークの性能を向上させるために、アップリンクＨＡＲＱ  ＡＣＫ／ＮＡＣＫリソース制御を改善する必要がある。
【発明の概要】
【課題を解決するための手段】
【０００３】
以下、本発明のいくつかの態様の基本を理解できるように、本発明の簡略化した要約を示す。この要約は、本発明の広範な概要ではない。本発明の主要／重要な要素を識別すること、又は本発明の範囲を示すことを意図するものでもない。この要約の唯一の目的は、以下に示す詳細な説明の前置きとして、本発明のいくつかの概念を簡略化した形で示すことである。
【０００４】
本発明の様々な態様は、独立請求項に定義する方法、装置、及びコンピュータ可読媒体を含む製造の物品を含む。本発明のさらなる実施形態は、従属請求項に開示する。
【０００５】
本発明の態様によれば、請求項１で特定する装置が提供される。
【０００６】
本発明の態様によれば、請求項８で特定する方法が提供される。
【０００７】
本発明の態様によれば、請求項１５で特定する、コンピュータ可読媒体を含む製造の物品が提供される。
【０００８】
本発明の態様によれば、個々のスケジュールされたユーザ端末のためのアップリンクハイブリッド自動再送要求肯定応答／否定応答リソースを決定するための１又はそれ以上の値を、このアップリンクハイブリッド自動再送要求肯定応答／否定応答リソースが、非適応的にスケジュールされていない全てのユーザ端末に関して同じになるように計算するように構成された計算器を備えた装置が提供される。
【０００９】
本発明の態様によれば、個々のスケジュールされたユーザ端末のためのアップリンクハイブリッド自動再送要求肯定応答／否定応答リソースを決定するための１又はそれ以上の値を、このアップリンクハイブリッド自動再送要求肯定応答／否定応答リソースが、非適応的にスケジュールされていない全てのユーザ端末に関して同じになるように計算するステップを含む方法が提供される。
【００１０】
本発明の態様によれば、コンピュータ可読媒体を含み、メモリに動作可能に結合されたコンピュータにより実行可能なプログラム命令をコンピュータ可読媒体上で具体化する製造の物品が提供され、このプログラム命令は、コンピュータにより実行された場合、個々のスケジュールされたユーザ端末のためのアップリンクハイブリッド自動再送要求肯定応答／否定応答リソースを決定するための１又はそれ以上の値を、このアップリンクハイブリッド自動再送要求肯定応答／否定応答リソースが、非適応的にスケジュールされていない全てのユーザ端末に関して同じになるように計算する機能を実施する。
【００１１】
本発明の様々な態様、実施形態及び特徴を個別に列挙しているが、本発明の様々な態様、実施形態及び特徴の全ての組み合わせが可能であり、特許請求する本発明の範囲に含まれると理解されたい。
【００１２】
以下、添付図面を参照しながら、例示的な実施形態によって本発明をより詳細に説明する。
【図面の簡単な説明】
【００１３】
【図１】例示的なシステムアーキテクチャを示す簡略ブロック図である。
【図２】本発明の例示的な実施形態を実施する際に使用するのに適した装置の例を示す簡略ブロック図である。
【図３】本発明の実施形態による例示的なシグナリング手順を示す図である。
【図４】本発明の実施形態による方法の例を示す図である。
【発明を実施するための形態】
【００１４】
以下、本発明の全てではなくいくつかを示す添付図面を参照しながら本発明の例示的な実施形態についてより完全に説明する。実際には、本発明は多くの異なる形で具体化することができ、本明細書に示す実施形態に限定されると解釈すべきではなく、むしろこれらの実施形態は、本開示が、適用可能な法的要件を満たすように提供するものである。本明細書では、いくつかの箇所で「ある（ａｎ）」、「１つの（ｏｎｅ）」、又は「いくつかの（ｓｏｍｅ）」実施形態について言及するが、これは必ずしも、個々のこのような言及が同じ実施形態に対するものであること、或いはその特徴が単一の実施形態にのみ適用されることを意味するものではない。異なる実施形態の単一の特徴を組み合わせて他の実施形態を実現することもできる。全体を通じて、同じ参照数字は同じ要素を示す。
【００１５】
本発明は、いずれのユーザ端末、サーバ、対応する構成要素、及び／又はいずれの通信システム、又は異なる通信システムのいずれの組み合わせにも適用することができる。通信システムは、固定通信システム又は移動通信システム、又は固定ネットワークと移動ネットワークをいずれも利用する通信システムとすることができる。特に無線通信では、使用するプロトコル、通信システム、サーバ及びユーザ端末の仕様が急速に発展している。このような発展により、実施形態の余分な変更が必要となる可能性がある。従って、全ての単語及び表現は広義に解釈すべきであり、これらは実施形態を限定することではなく例示することを意図するものである。
【００１６】
以下では、実施形態を適用できるシステムアーキテクチャの例として、ＬＴＥ／ＳＡＥ（ロングタームエボリューション／システムアーキテクチャエボリューション）ネットワーク要素に基づくアーキテクチャを使用して様々な実施形態を説明するが、実施形態をこのようなアーキテクチャに限定するものではない。
【００１７】
図１を参照しながら、本発明の実施形態を適用できる無線システムの例について検討する。この例では、無線システムが、ＬＴＥ／ＳＡＥ（ロングタームエボリューション／システムアーキテクチャエボリューション）ネットワーク要素に基づく。しかしながら、これらの例で説明する発明は、ＬＴＥ／ＳＡＥ無線システムに限定されるものではなく、ＷＩＭＡＸ（ワールドワイド・インターオペラビリティ・フォー・マイクロウェーブ・アクセス）などの他の無線システム、又はその他の適当な無線システムで実施することもできる。
【００１８】
無線システムの一般的なアーキテクチャを図１に示す。図１は、いくつかの要素及び機能エンティティのみを示す簡略化したシステムアーキテクチャであるが、これらは全て論理ユニットであり、その実施構成は図示のものとは異なる場合がある。図１に示す接続は論理接続であり、実際の物理的接続は異なる場合がある。当業者には、このシステムが他の機能及び構造も含むことが明白である。なお、グループ通信で又はグループ通信に使用される機能、構造、要素及びプロトコルは、実際の発明とは無関係である。従って、ここではこれらについてより詳細に説明する必要はない。
【００１９】
図１の例示的な無線システムは、ＭＭＥ（モビリティ管理エンティティ）１０６及びＳＡＥ  ＧＷ（ＳＡＥゲートウェイ）１０８といった要素を含む通信事業者のサービスコアを有する。
【００２０】
無線システムの、ｅＮＢ（拡張ノードＢ）と呼ぶこともできる基地局１０４は、無線リソース管理のための機能である無線ベアラ制御、無線アドミッション制御、接続モビリティ制御、動的リソース割り当て（スケジューリング）をホストする。ＭＭＥ１０６は、ｅＮＢ１０４及びユーザ装置（ＵＥ）１０２Ａ、１０２Ｂへのモビリティコマンドなどの、制御プレーントラフィックのシグナリングに関与する。
【００２１】
モバイル／ユーザ端末と呼ぶこともできるユーザ装置（ＵＥ）１０２Ａ、１０２Ｂは、信号１１８、１１９を使用してｅＮＢ１０４と通信することができる。ＵＥ１０２Ａ、１０２ＢとｅＮＢ１０４の間の信号１１８、１１９は、トラフィックデータ又は制御データなどのデジタル情報を含む。
【００２２】
コール／サービスは、ユーザトラフィックがＳＡＥ  ＧＷ１０８を通過する「長距離」とすることができる。例えば、ＳＡＥ  ＧＷ１０８を介して、ＵＥ１０２Ａ、１０２Ｂからインターネット１１０などの外部ＩＰネットワークへの接続を導くことができる。しかしながら、例示的な無線システムでは、ローカルコール／サービスも可能である。
【００２３】
無線システムの各ｅＮＢ１０４は、パイロット信号とすることができる信号をブロードキャストし、これによりＵＥ１０２Ａ、１０２Ｂは、ＵＥ１０２Ａ、１０２Ｂにサービスを提供するための潜在的基地局を観察できるようになる。モバイル端末は、このパイロット信号に基づいて、スイッチがオンになったときに通信を開始する相手の基地局、又は通常動作中にハンドオフを行う基地局を選択する。
【００２４】
ｅＮＢ１０４が、アップリンクハイブリッド自動再送要求（ＨＡＲＱ）肯定応答／否定応答（ＡＣＫ／ＮＡＣＫ）リソースを決定すると、多くの場合、リソースの重複が生じる。例えば、物理アップリンク共有チャネル（アップリンクＰＵＳＣＨ）送信に関するＡＣＫ／ＮＡＣＫリソースを決定するために使用するＬＴＥ物理ハイブリッドＡＲＱインジケータチャネル（ＰＨＩＣＨ）割り当て手順では、ＰＨＩＣＨリソースが重複するといういくつかのシナリオが生じることがある。
【００２５】
３ＧＰＰ  ３６．２１３、バージョン８．５．０によれば、ＰＨＩＣＨグループ及びグループ内の直交シーケンスが、以下のように定義されている。サブフレームｎにおけるスケジュールされたＰＵＳＣＨ送信では、サブフレームｎ＋ｋPHICHにおける対応するＰＨＩＣＨリソースをＵＥが決定することになり、この場合、ｋPHICHは、周波数分割複信（ＦＤＤ）の場合には常に４であり、時分割複信（ＴＤＤ）の場合に関しては表１に示す。サブフレームのバンドリング動作では、対応するＰＨＩＣＨリソースが、バンドル内の最後のサブフレーム送信に関連する。
【００２６】
表１  ＴＤＤの場合のｋPHICH
0005475879.tif 000002
【００２７】
ＰＨＩＣＨリソースは、アップリンクリソース割り当ての最も低いインデックス物理リソースブロック（ＰＲＢ）、及びＰＵＳＣＨ送信に関連する３ビットのアップリンク復調基準シンボル（ＤＭＲＳ）の巡回シフトから決定され、これらはいずれも、ＰＵＳＣＨ送信を許可する制御情報（ＤＣＩ）フォーマット０の物理ダウンリンク制御チャネル（ＰＤＣＣＨ）において示される。
【００２８】
ＰＨＩＣＨリソースは、インデックスの対（ｎgroupPHICH，ｎseqPHICH）によって識別され、この場合、ｎgroupPHICHは、ＰＨＩＣＨグループ番号であり、ｎseqPHICHは、以下の式により定義されるグループ内の直交シーケンスインデックスである。
0005475879.tif 000003
0005475879.tif 000004
この場合、ｎDMRSは、対応するＰＵＳＣＨ送信に関連するトランスポートブロックの、ＤＣＩフォーマット０［４］のＤＭＲＳフィールドの巡回シフト（表２に従う）から対応付けられる。ＤＣＩフォーマット０の対応するＰＤＣＣＨがサブフレームｎ−ｋPUSCH内にない場合のサブフレームｎにおける半永続的に構成されたＰＵＳＣＨ送信、又はランダムアクセス応答許可に関連するＰＵＳＣＨ送信では、ｎDMRSがゼロに設定され、この場合、ｋPUSCHは、３ＧＰＰ  ３６．２１３、バージョン８．５．０の第８節で定義される通りであり、ＮPHICHSFは、ＰＨＩＣＨ変調に使用する拡散係数のサイズであり、Ｉlowest_indexPRB_RAは、対応するＰＵＳＣＨ送信の最も低いＰＲＢインデックスであり、ＮgroupPHICHは、上位層により構成されるＰＨＩＣＨグループの数であり、ＩＰＨＩＣＨは、以下のように定義されるＴＤＤ  ＰＨＩＣＨのグループシフトである。
0005475879.tif 000005
（ＩPHICH＝サブフレームｎ＝４又は９におけるＰＵＳＣＨ送信を行うＴＤＤ  ＵＬ／ＤＬ構成０の場合：１、それ以外の場合：０）
【００２９】
表２．ｎDMRSと、［４］におけるＤＣＩフォーマット０のＤＭＲＳフィールドの巡回シフトの対応付け
0005475879.tif 000006
【００３０】
３ＧＰＰ  ３６．３００、バージョン８．６では、新たな送信又はシグナリングされたＰＨＩＣＨフィードバック及びＰＤＣＣＨに基づく再送信を選択するためのＵＥの動作例が、表３に従って定義されている。
【００３１】
表３．アップリンクＨＡＲＱの動作
0005475879.tif 000007
【００３２】
ＰＨＩＣＨインデックスは、アップリンク復調基準シンボルの巡回シフト、ＰＨＩＣＨ変調に使用する拡散係数のサイズ、対応するＰＵＳＣＨ送信の最も低いＰＲＢ、上位層により構成されるＰＨＩＣＨグループの数、及びＴＤＤ  ＰＨＩＣＨのグループシフトを使用して定義することができる。これらの影響を与えるパラメータの組み合わせによっては、異なるＵＥ間におけるＰＨＩＣＨインデックスの重複が生じることがあり、これらの状況では、個々のＨＡＲＱ  ＡＣＫ／ＮＡＣＫを送信することができない。
【００３３】
重複を防ぐために、スケジューラは、対応するＰＵＳＣＨ送信の最も低いＰＲＢ、又はアップリンク復調基準シンボルの巡回シフトを制御することができる。
【００３４】
ある実施形態では、個々のスケジュールされたＵＥのアップリンクＨＡＲＱ  ＡＣＫ／ＮＡＣＫリソースを決定するための１又はそれ以上の値を、このアップリンクＨＡＲＱ  ＡＣＫ／ＮＡＣＫリソースが全てのＵＥに関して同じになるように計算する。１つの例では、アップリンクＨＡＲＱ  ＡＣＫ／ＮＡＣＫリソースをＰＨＩＣＨリソースとすることができ、従って、計算される１又はそれ以上の値は、ＰＨＩＣＨ変調に使用する拡散係数のサイズ、構成されるＰＨＩＣＨグループの数、対応するＰＨＩＣＨ送信の最も低いＰＲＢ、アップリンク復調基準シンボルの巡回シフト、及びＴＤＤ  ＰＨＩＣＨグループシフトのうちの１又はそれ以上を含むことができる。
【００３５】
ある実施形態では、非適応的再送信の使用が計画されていない各ＵＥ１０２Ａ、１０２Ｂのアップリンク復調基準シンボルの巡回シフトを、ＰＨＩＣＨインデックスなどのＰＨＩＣＨソースが同じＰＨＩＣＨグループの全てのＵＥ１０２Ａ、１０２Ｂに関して同じになるように制御する。例えば、ｅＮＢ１０４は、アップリンク復調基準シンボルの巡回シフトを、個々のスケジュールされたＵＥ１０２Ａ、１０２Ｂのための使用されるＰＨＩＣＨグループ内でＰＨＩＣＨインデックスが同じになるように選択する。ある実施形態では、この結合したＰＨＩＣＨフィールドを、常にＡＣＫで満たす。
【００３６】
ｅＮＢ１０４は、ＰＤＣＣＨをアップリンク許可とともに送信する前に、全てのＵＥ１０２Ａ、１０２Ｂが同じＰＨＩＣＨグループ内の同じＰＨＩＣＨインデックスを利用するように、アップリンク復調基準シンボルの巡回シフトを計算することができる。スケジューリングにもよるが、利用されるＰＨＩＣＨインデックスの最小数は１であり、最大数は、構成されるＰＨＩＣＨグループの数である。
【００３７】
この機能にはいくつかの利点がある。必要なＰＨＩＣＨグループが少なくて済み、ＰＤＣＣＨから消費される制御チャネル要素（ＣＣＥ）が少なくなるので、ＰＤＣＣＨ容量を節約することができる。例えば、ダウンリンクにおける１０ＭＨｚのセル及び正常な巡回プレフィクスを仮定することにより、最低限の１６個の異なるＰＨＩＣＨインデックス（２つのＰＨＩＣＨグループ、８つのグループ内巡回シフト）が存在すればよい。この数は、本発明の実施形態を利用する適応的再送信を同時にスケジュールされたいずれの数のユーザにとっても十分である。固有のＰＨＩＣＨインデックスが必要な場合、スケジュールされるユーザの数に応じて、必要なＰＨＩＣＨグループは最大で１３となる。従って、節約できるＣＣＥは最大で４となる。
【００３８】
さらに、非適応的再送信を除き、ＰＨＩＣＨグループ当たり１つの巡回シフトしか使用しないので、ＰＨＩＣＨのリンクレベル性能が向上する。これにより、ＡＣＫがＮＡＣＫとして解釈された結果、望ましくない非適応的再送信が行われる可能性が減少する。
【００３９】
多くのＰＨＩＣＨグループを構成する場合、本発明の実施形態では、実際に必要なグループはより少なくて済む可能性が高く、使用する（単複の）グループの出力を上げて、使用する（単複の）ＰＨＩＣＨグループのリンクレベル性能を向上させることができる。さらに、ＰＨＩＣＨ容量が枯渇するのを防ぐためにＨＡＲＱフィードバック規則を融合する必要がなく、送信されるＰＨＩＣＨが減るので、ダウンリンク層１ＰＨＩＣＨ符号器の負荷が減少する。
【００４０】
本発明の例示的な実施形態をさらに説明する前に、本発明の例示的な実施形態の実施における使用に適した装置の例を示す簡略ブロック図を示す図２を参照する。
【００４１】
装置１０４は、実施形態の少なくともいくつかの必要な機能を提供できるいずれのネットワークノード又はホストであってもよい。装置１０４は、基地局の一部であるエンティティなどの、無線システムのネットワークエンティティであってもよい。システムの異なるネットワークエンティティに装置の異なるモジュールが存在することもできる。
【００４２】
一般に、装置１０４は、装置のメモリ２０４及び様々なインターフェイス２０６に接続されたプロセッサ２０２、コントローラ、制御ユニットなどを含むことができる。一般的には、プロセッサ２０２は中央処理装置であるが、追加の演算プロセッサであってもよい。プロセッサは、コンピュータプロセッサ、特定用途向け集積回路（ＡＳＩＣ）、フィールドプログラマブルゲートアレイ（ＦＰＧＡ）、及び／又は実施形態の１又はそれ以上の機能を実行するようにプログラムされたその他のハードウェア構成要素を含むことができる。
【００４３】
図２では、無線ネットワークが、少なくとも１つのｅＮＢを介してユーザ端末と通信するようになっている。装置１０２Ａ／Ｂ、１０４を単一のエンティティとして示しているが、１又はそれ以上の物理又は論理エンティティ内に様々なモジュール及びメモリを実装することができる。装置１０４は、送信をスケジュールされた各ＵＥ１０２Ａ／Ｂのアップリンクハイブリッド自動再送要求（ＨＡＲＱ）肯定応答／否定応答（ＡＣＫ／ＮＡＣＫ）リソースを決定するための１又はそれ以上の値を、このアップリンクＨＡＲＱ  ＡＣＫ／ＮＡＣＫリソースが全てのＵＥに関して同じになるように計算するように構成される。
【００４４】
この目的のために、公衆移動ネットワークの１又はそれ以上のｅＮＢの少なくとも一部とすることができる装置１０４は、プロセッサ２０２と、異なる出力、情報及びメッセージを送受信するための通信ユニット２０６とを含む。通信ユニット２０６は、信号を受信するための受信機２０８、及び信号を送信するための送信機２１０を含むことができる。従って、この例では、装置１０４をｅＮＢ１０４と呼ぶ。
【００４５】
ｅＮＢ１０４は、制御情報を少なくとも一時的に記憶するためのメモリ２０４を含むことができる。ｅＮＢ１０４は、送信をスケジュールされた各ＵＥ１０２Ａ／ＢのアップリンクＨＡＲＱ  ＡＣＫ／ＮＡＣＫリソースを決定するための１又はそれ以上の値を、このアップリンクＨＡＲＱ  ＡＣＫ／ＮＡＣＫリソースが全てのユーザ端末に関して同じになるように計算するように構成された計算器２１２をさらに含む。計算器２１２は、プロセッサ２０２及び／又はメモリ２０４の一部であってもよい。例えば、メモリ２０４は、（例えば、検出装置のための）ソフトウェアアプリケーション又はオペレーティングシステムなどのコンピュータプログラムコード、情報、データ、コンテンツ、或いはプロセッサ２０２が、実施形態による装置の動作に関連するステップを実行するための同様のものを記憶することができる。
【００４６】
図示の実施形態では、メモリ２０４が、個々のスケジュールされたユーザ端末のアップリンクＨＡＲＱ  ＡＣＫ／ＮＡＣＫリソースを決定するための１又はそれ以上の値を、このアップリンクＨＡＲＱ  ＡＣＫ／ＮＡＣＫリソースが、非適応的にスケジュールされていない全てのユーザ端末に関して同じになるように計算する方法に関する命令を記憶する。このメモリは、例えば、ランダムアクセスメモリ（ＲＡＭ）、ハードドライブ、或いはその他の固定データメモリ又は固定記憶装置であってもよい。さらに、このメモリ又はその一部は、装置に取り外し可能に接続された取り外し可能メモリであってもよい。
【００４７】
通信ユニット２０６は、ユーザ端末及びそのユーザを加入に結び付ける、又は結び付けるように構成された、またこのユーザが通信システムとやりとりできるようにする装置又は機器の一部であるユーザ端末などのユーザ装置とすることができる装置１０２と通信するように構成される。ユーザ端末は、ユーザに情報を提示し、ユーザが情報を入力できるようにする。換言すれば、ユーザ端末は、ネットワークから情報を受信及び／又はネットワークに情報を送信できる、ネットワークに無線で又は固定接続を介して接続できるいずれの端末であってもよい。ユーザ端末の例としては、パーソナルコンピュータ、ゲーム機、ラップトップ（ノートブック）、携帯情報端末、移動局（携帯電話機）、及び回線電話が挙げられる。
【００４８】
以下、図３及び図４とともにプロセッサ２０２の機能について詳細に説明する。この装置は、他の様々なユニットを含むこともできると理解されたい。しかしながら、これらは本発明に無関係であり、従ってここではこれらについてより詳細に説明する必要はない。
【００４９】
本明細書で説明する技術を様々な手段によって実現することにより、実施形態とともに説明する１又はそれ以上の機能を実施する装置が、従来技術の手段だけでなく、実施形態とともに説明する対応する装置の１又はそれ以上の機能を実施するための手段を含むとともに、個々の別個の機能のための別個の手段を含むことができるように、或いはこれらの手段を２又はそれ以上の機能を実行するよう構成できるようにすることができる。例えば、これらの技術を、ハードウェア（１又はそれ以上の装置）、ファームウェア（１又はそれ以上の装置）、ソフトウェア（１又はそれ以上のモジュール）、又はこれらの組み合わせで実現することができる。ファームウェア又はソフトウェアの場合、本明細書で説明する機能を実行するモジュール（手順、機能など）を通じて実現することができる。ソフトウェアコードは、いずれかの適当なプロセッサ／（単複の）コンピュータ可読データ記憶媒体又は（単複の）メモリユニット又は（単複の）製造の物品に記憶することができ、１又はそれ以上のプロセッサ／コンピュータによって実行することができる。データ記憶媒体又はメモリユニットは、プロセッサ／コンピュータの内部、又はプロセッサ／コンピュータの外部に実装することができ、この場合、当業で公知の様々な手段を介してプロセッサ／コンピュータに通信可能に結合することができる。
【００５０】
メモリには、実行可能コード又は（ソフトウェア又はファームウェアなどの）命令、電子データ、データベース、又はその他のデジタル情報などのプログラムを記憶することができ、このメモリはプロセッサ使用可能媒体を含むことができる。プロセッサ使用可能媒体は、例示的な実施形態におけるプロセッサ２０２を含む命令実行システムによって又はこれと接続して使用するためのプログラム、データ又はデジタル情報を含み、記憶し、又は保持することができるいずれかのコンピュータプログラム製品又は製造の物品の形で具体化することができる。例えば、例示的なプロセッサ使用可能媒体は、電子、磁気、光学、電磁、及び赤外線又は半導体媒体などの物理媒体のいずれか１つを含むことができる。プロセッサ使用可能媒体のいくつかの特定の例として、以下に限定されるわけではないが、フロッピー（登録商標）ディスケットなどのポータブル磁気コンピュータディスケット、ジップディスク、ハードドライブ、ランダムアクセスメモリ、読み出し専用メモリ、フラッシュメモリ、キャッシュメモリ、或いはプログラム、データ又はその他のデジタル情報を記憶することができるその他の構成が挙げられる。ある実施形態では、コンピュータ可読媒体を含み、メモリに動作可能に結合されたコンピュータにより実行可能なプログラム命令をコンピュータ可読媒体上で具体化する製造の物品が提供され、このプログラム命令は、コンピュータにより実行された場合、個々のスケジュールされたＵＥのアップリンクＨＡＲＱ  ＡＣＫ／ＮＡＣＫリソースを決定するための１又はそれ以上の値を、このアップリンクＨＡＲＱ  ＡＣＫ／ＮＡＣＫリソースが、非適応的にスケジュールされていない全てのＵＥに関して同じになるように計算する機能を実施する。
【００５１】
本明細書で説明する少なくともいくつかの実施形態又は態様は、上述した適当なメモリに記憶された、或いはネットワーク又はその他の送信媒体を介して通信され適当なプロセッサを制御するように構成されたプログラムを使用して実現することができる。例えば、プログラムは、例えば製造の物品内で具体化されるもの、通信ネットワーク（インターネット又はプライベートネットワークなど）、有線電気接続、光学接続又は電磁エネルギーなどの適当な送信媒体を介して通信されるデータ信号内で具体化されるもの（変調搬送波、データパケット、デジタル表示など）を含む適当な媒体を介して、例えば通信インターフェイスを通じて提供することができ、或いは別の適当な通信構造又は媒体を使用して提供することができる。プロセッサ使用可能コードを含む例示的なプログラムは、搬送波で具体化されるデータ信号として通信することができるが、これは一例にすぎない。
【００５２】
ある実施形態では、アップリンクＨＡＲＱ  ＡＣＫ／ＮＡＣＫリソースがＰＨＩＣＨリソースであり、計算器２１２が、ＰＨＩＣＨリソースを決定するための１又はそれ以上の値を、同じＰＨＩＣＨグループの全てのユーザ端末に関してＰＨＩＣＨリソースが同じになるように計算するように構成される。
【００５３】
ある実施形態では、アップリンクＨＡＲＱ  ＡＣＫ／ＮＡＣＫリソースを決定するための計算された１又はそれ以上の値が、アップリンク復調基準シンボルの巡回シフトを含む。
【００５４】
ある実施形態では、アップリンクＨＡＲＱ  ＡＣＫ／ＮＡＣＫリソースを決定するための計算された１又はそれ以上の値が、対応するＰＵＳＣＨ送信の最も低いＰＲＢ、及びアップリンク復調基準シンボルの巡回シフトの１又はそれ以上の値を含む。従って、例えば、アップリンクＨＡＲＱ  ＡＣＫ／ＮＡＣＫリソースを、このアップリンクＨＡＲＱ  ＡＣＫ／ＮＡＣＫリソースが全てのユーザ端末に関して同じになるように決定するために、アップリンク復調基準シンボルの巡回シフトの値、及び対応するＰＵＳＣＨ送信の最も低いＰＲＢの値をいずれも制御することができる。これらの値の一方のみを制御することもできる。
【００５５】
ある実施形態では、アップリンク復調基準シンボルの巡回シフトが、物理ハイブリッド自動再送要求インジケータチャネル変調に使用される拡散係数のサイズ、構成される物理ハイブリッド自動再送要求インジケータチャネルグループの数、対応する物理ハイブリッド自動再送要求インジケータチャネル送信の最の低い物理リソースブロック、及びＩＰＨＩＣＨの１又はそれ以上を使用することにより計算される。
【００５６】
ある実施形態では、送信機２１０が、アップリンクＨＡＲＱ  ＡＣＫ／ＮＡＣＫリソースを決定するための計算された１又はそれ以上の値を各ユーザ端末へ送信するように構成される。
【００５７】
ある実施形態では、送信機２１０が、スケジュールされたユーザ端末へ送信される肯定応答シグナリングで常に肯定応答を送信するようにさらに構成される。
【００５８】
図３に、本発明の実施形態による、ｅＮＢ１０４における処理及びｅＮＢ１０４とＵＥ１０２の間のシグナリング手順の例を示す。３０１において、ｅＮＢ１０４が、ＵＥ１０２のための物理リソースブロックを割り当て、アップリンクＨＡＲＱグループ、すなわちこの例ではＰＨＩＣＨグループを選択する。
【００５９】
３０２において、ｅＮＢ１０４が、ＵＥ１０２のアップリンクＨＡＲＱ  ＡＣＫ／ＮＡＣＫリソースを決定するための１又はそれ以上の値を、このアップリンクＨＡＲＱ  ＡＣＫ／ＮＡＣＫリソースが全てのＵＥに関して同じになるように決定する。この例では、決定されたアップリンクＨＡＲＱ  ＡＣＫ／ＮＡＣＫリソースがＰＨＩＣＨリソースであり、決定された１又はそれ以上の値が、アップリンク復調基準シンボルの巡回シフトのための値を含む。
【００６０】
３０４において、ｅＮＢ１０４からＵＥ１０２へのダウンリンク送信が行われる。このダウンリンク送信シグナリングには、ＰＨＩＣＨリソースを決定するための決定された値が含まれる。この例では、ダウンリンク送信、ここではＰＤＣＣＨ送信に、アップリンク復調基準シンボルの巡回シフト及び対応するＰＵＳＣＨ送信の最も低いＰＲＢが含まれる。
【００６１】
３０６において、ＵＥ１０２からのアップリンク送信シグナリングがｅＮＢ１０４において受信される。この例では、アップリンク送信シグナリングが、アップリンクＰＵＳＣＨシグナリングである。
【００６２】
３０８において、ｅＮＢ１０４からＵＥ１０２へのＡＣＫ／ＮＡＣＫシグナリングが行われる。この例では、ＡＣＫ／ＮＡＣＫシグナリングがＰＨＩＣＨシグナリングである。ある実施形態では、ｅＮＢ１０４が、ＵＥ１０２へのＡＣＫ／ＮＡＣＫシグナリングで常にＡＣＫを送信する。
この場合のＵＥの決定は常にＰＤＣＣＨに依存するので、常にＰＨＩＣＨをＡＣＫで満たすことができる。
【００６３】
図４に、実施形態による方法の例を示す。この方法は、４００から開始する。４０２において、ｅＮＢ内などの装置が、個々のスケジュールされたユーザ端末のためのアップリンクハイブリッド自動再送要求肯定応答／否定応答リソースを決定するための１又はそれ以上の値を、このアップリンクハイブリッド自動再送要求肯定応答／否定応答リソースが全てのユーザ端末に関して同じになるように計算する。この方法は、４０４において終了する。
【００６４】
本発明の様々な実施形態は、いくつかの利点を提供する。ある実施形態では、ＰＤＣＣＨなどのアップリンク送信シグナリングにより多くのリソースを利用することができる。ある実施形態では、ＰＨＩＣＨグループ当たり１つの巡回シフトしか使用されないので、ＡＣＫ／ＮＡＣＫの誤検出が減少する。ある実施形態では、実際に使用するＰＨＩＣＨグループが少なくなり、ＰＨＩＣＨ上の出力を上げることができる。
【００６５】
当業者には、技術が進歩するにつれ、本発明の概念を様々な方法で実現できることが明らかであろう。本発明及びその実施形態は、上述の例に限定されるものではなく、特許請求の範囲内で変化することができる。
【符号の説明】
【００６６】
４００  開始
４０２  再送信をスケジュールされた各ＵＥのアップリンクＨＡＲＱ  ＡＣＫ／ＮＡＣＫリソースを決定するための１又はそれ以上の値を、このアップリンクＨＡＲＱ  ＡＣＫ／ＮＡＣＫリソースが全てのＵＥに関して同じになるように計算
４０４  終了
【図１】
0005475879.tif 000008
【図２】
0005475879.tif 000009
【図３】
0005475879.tif 000010
【図４】
0005475879.tif 000011